【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
輝度成分を有するピクチャブロックを符号化する方法であって、
前記輝度成分から計算された該輝度成分の平均値の第１表現を減じることによって輝度残差ブロックを得ることと、
前記平均値のダイナミックレンジを低減するために、前記輝度成分の前記平均値に伝達関数を適用することによって前記平均値の第２表現を得ることと、
前記輝度残差ブロックと前記平均値の前記第２表現とを足し合わせることによって得られる輝度ブロックを符号化することと
を有することを特徴とする方法。
【請求項２】
前記平均値の前記第２表現を得ることは、サンプリング係数に基づき、前記伝達関数を適用された平均値を量子化することを更に有し、
前記平均値の前記第１表現は、前記平均値の前記第２表現に他の伝達関数を適用することによって得られ、該他の伝達関数は、前記伝達関数の逆数である、
請求項１に記載の方法。
【請求項３】
前記符号化された輝度値の復号されたバージョンの平均値を前記平均値の前記第１表現から減じることによって得られる残差平均値を符号化すること
を更に有する請求項２に記載の方法。
【請求項４】
前記ピクチャブロックは、少なくとも１つの色成分を有し、
前記輝度残差ブロックは、知覚空間の２つの点の視覚認知の間の差を表す値を持ったメトリックを有する前記知覚空間に属し、前記メトリックは、知覚閾が存在するように定義され、該知覚閾を下回ると、前記知覚空間の２つの色の間の視覚的差を人が認知することができず、前記ピクチャブロックの表示される復号されたバージョンにおける視覚的損失の制御が符号化されることを可能にする、
請求項１乃至３のうちいずれか一項に記載の方法。
【請求項５】
原のビット数において表現される輝度成分を有するピクチャブロックを復号する方法であって、
輝度ブロックの平均値を該輝度ブロックから減じることによって輝度残差ブロックを得ることと、
前記輝度ブロックの前記平均値の、前記原のビット数において表現される表現と、前記輝度残差ブロックとを足し合わせることによって、前記ピクチャブロックの復号された輝度成分を得ることと
を有することを特徴とする方法。
【請求項６】
前記輝度ブロックの前記平均値の表現は、残差平均値と前記輝度ブロックの平均値とを足し合わせることによって得られる、
請求項５に記載の方法。
【請求項７】
前記ピクチャブロックは、少なくとも１つの色成分を有し、
当該方法は、前記輝度残差ブロックに逆変換を適用することを更に有し、
前記輝度残差ブロックは、知覚空間の２つの点の視覚認知の間の差を表す値を持ったメトリックを有する前記知覚空間に属し、前記メトリックは、知覚閾が存在するように定義され、該知覚閾を下回ると、前記知覚空間の２つの色の間の視覚的差を人が認知することができず、前記ピクチャブロックの表示される復号されたバージョンにおける視覚的損失の制御を可能にする、
請求項６に記載の方法。
【請求項８】
輝度成分を有するピクチャブロックを符号化するデバイスであって、
プロセッサを有し、該プロセッサは、
前記輝度成分から計算された該輝度成分の平均値の第１表現を減じることによって輝度残差ブロックを得、
前記平均値のダイナミックレンジを低減するために、前記輝度成分の前記平均値に伝達関数を適用することによって前記平均値の第２表現を得、
前記輝度残差ブロックと前記平均値の前記第２表現とを足し合わせることによって得られる輝度ブロックを符号化する
よう構成される、ことを特徴とするデバイス。
【請求項９】
原のビット数において表現される輝度成分を有するピクチャブロックを復号するデバイスであって、
プロセッサを有し、該プロセッサは、
輝度ブロックの平均値を該輝度ブロックから減じることによって輝度残差ブロックを得、
前記輝度ブロックの前記平均値の、前記原のビット数において表現される表現と、前記輝度残差ブロックとを足し合わせることによって、前記ピクチャブロックの復号された輝度成分を得る
よう構成される、ことを特徴とする方法。
【請求項１０】
符号化された輝度ブロックを搬送する信号であって、
前記符号化された輝度ブロックが、ピクチャブロックの輝度成分と、該輝度成分の平均値の表現との和を表すことを示す情報データを更に搬送する
ことを特徴とする信号。
【請求項１１】
コンピュータで実行される場合に、請求項１に記載の符号化する方法のステップを実行するプログラムコード命令を有するコンピュータプログラム。
【請求項１２】
コンピュータで実行される場合に、請求項５に記載の復号する方法のステップを実行するプログラムコード命令を有するコンピュータプログラム。
【請求項１３】
プロセッサに、請求項１に記載の符号化する方法のステップを少なくとも実行させる命令を記憶しているプロセッサ可読媒体。
【請求項１４】
プロセッサに、請求項５に記載の復号する方法のステップを少なくとも実行させる命令を記憶しているプロセッサ可読媒体。
【請求項１５】
コンピュータデバイスで実行される場合に、請求項１乃至７のうちいずれか一項に記載の方法のステップを実行するためのプログラムコードの命令を担持する非一時的な記憶媒体。
【手続補正２】
【補正対象書類名】明細書
【補正対象項目名】０１６７
【補正方法】変更
【補正の内容】
【０１６７】
１４００  デバイス
Ｂ        ピクチャブロック
ＢＦ，Ｆ  ビットストリーム
Ｃ（ｉ）  色成分
ＥＮＣ    符号器
Ｌ        輝度成分
Ｌｒ      輝度残差ブロック
ＮＥＴ    通信ネットワーク
Ｐ        送信パケット
ＰＳ      知覚空間
ｆ        伝達関数
ｍ        サンプリング係数
ｎｏ      原のビット数
［付記１］
輝度成分を有するピクチャブロックを符号化する方法であって、
前記輝度成分から計算された該輝度成分の平均値の第１表現を減じることによって輝度残差ブロックを得るステップと、
前記平均値のダイナミックレンジを低減するために、前記輝度成分の前記平均値に伝達関数を適用することによって前記平均値の第２表現を得るステップと、
前記輝度残差ブロックと前記平均値の前記第２表現とを足し合わせることによって得られる輝度ブロックを符号化するステップと
を有することを特徴とする方法。
［付記２］
前記平均値の前記第２表現を得るステップは、サンプリング係数に基づき、前記伝達関数を適用された平均値を量子化することを更に有し、
前記平均値の前記第１表現は、前記平均値の前記第２表現に他の伝達関数を適用することによって得られ、該他の伝達関数は、前記伝達関数の逆数である、
付記１に記載の方法。
［付記３］
前記符号化された輝度値の復号されたバージョンの平均値を前記平均値の前記第１表現から減じることによって得られる残差平均値を符号化するステップ
を更に有する付記２に記載の方法。
［付記４］
前記ピクチャブロックは、少なくとも１つの色成分を有し、
前記輝度残差ブロックは、知覚空間の２つの点の視覚認知の間の差を表す値を持ったメトリックを有する前記知覚空間に属し、前記メトリックは、知覚閾が存在するように定義され、該知覚閾を下回ると、前記知覚空間の２つの色の間の視覚的差を人が認知することができず、前記ピクチャブロックの表示される復号されたバージョンにおける視覚的損失の制御が符号化されることを可能にする、
付記１乃至３のうちいずれか一項に記載の方法。
［付記５］
原のビット数において表現される輝度成分を有するピクチャブロックを復号する方法であって、
輝度ブロックの平均値を該輝度ブロックから減じることによって輝度残差ブロックを得るステップと、
前記輝度ブロックの前記平均値の、前記原のビット数において表現される表現と、前記輝度残差ブロックとを足し合わせることによって、前記ピクチャブロックの復号された輝度成分を得るステップと
を有することを特徴とする方法。
［付記６］
前記輝度ブロックの前記平均値の表現は、残差平均値と前記輝度ブロックの平均値とを足し合わせることによって得られる、
付記５に記載の方法。
［付記７］
前記ピクチャブロックは、少なくとも１つの色成分を有し、
当該方法は、前記輝度残差ブロックに逆変換を適用するステップを更に有し、
前記輝度残差ブロックは、知覚空間の２つの点の視覚認知の間の差を表す値を持ったメトリックを有する前記知覚空間に属し、前記メトリックは、知覚閾が存在するように定義され、該知覚閾を下回ると、前記知覚空間の２つの色の間の視覚的差を人が認知することができず、前記ピクチャブロックの表示される復号されたバージョンにおける視覚的損失の制御を可能にする、
付記６に記載の方法。
［付記８］
輝度成分を有するピクチャブロックを符号化するデバイスであって、
プロセッサを有し、該プロセッサは、
前記輝度成分から計算された該輝度成分の平均値の第１表現を減じることによって輝度残差ブロックを得、
前記平均値のダイナミックレンジを低減するために、前記輝度成分の前記平均値に伝達関数を適用することによって前記平均値の第２表現を得、
前記輝度残差ブロックと前記平均値の前記第２表現とを足し合わせることによって得られる輝度ブロックを符号化する
よう構成される、ことを特徴とするデバイス。
［付記９］
原のビット数において表現される輝度成分を有するピクチャブロックを復号するデバイスであって、
プロセッサを有し、該プロセッサは、
輝度ブロックの平均値を該輝度ブロックから減じることによって輝度残差ブロックを得、
前記輝度ブロックの前記平均値の、前記原のビット数において表現される表現と、前記輝度残差ブロックとを足し合わせることによって、前記ピクチャブロックの復号された輝度成分を得る
よう構成される、ことを特徴とする方法。
［付記１０］
符号化された輝度ブロックを搬送する信号であって、
前記符号化された輝度ブロックが、ピクチャブロックの輝度成分と、該輝度成分の平均値の表現との和を表すことを示す情報データを更に搬送する
ことを特徴とする信号。
［付記１１］
コンピュータで実行される場合に、付記１に記載の符号化する方法のステップを実行するプログラムコード命令を有するコンピュータプログラム。
［付記１２］
コンピュータで実行される場合に、付記５に記載の復号する方法のステップを実行するプログラムコード命令を有するコンピュータプログラム。
［付記１３］
プロセッサに、付記１に記載の符号化する方法のステップを少なくとも実行させる命令を記憶しているプロセッサ可読媒体。
［付記１４］
プロセッサに、付記５に記載の復号する方法のステップを少なくとも実行させる命令を記憶しているプロセッサ可読媒体。
［付記１５］
コンピュータデバイスで実行される場合に、付記１乃至７のうちいずれか一項に記載の方法のステップを実行するためのプログラムコードの命令を担持する非一時的な記憶媒体。